(57)【要約】【課題】建物内の間仕切り壁に設けられた開口部を開閉する手段として活用出来る開閉扉装置を提案する。【解決手段】開口部閉じ位置にある開閉扉１６と直線状に連続する位置に固定壁板６が設けられ、この固定壁板６の外側に重なる開口部開き位置と開口部の外側位置との間にわたって開閉扉１６が直線状に横動可能な横動経路３４が設けられ、開閉扉１６の上端部は、上側ガイドレール１０に横動自在に支持された上側横動体に、前後一対の平行リンク１８，１９を介して開口部の内外方向に斜め平行移動自在に吊り下げられ、固定壁板６の下端部内側には、開口部開き位置にある開閉扉１６より開口部内に突出しない長さの下側ガイドレール１１が設けられ、開閉扉１６の下端後端部は、下側ガイドレール１１に横動自在に係合する下側横動体に、開閉扉後端側の平行リンク１９の真下で当該平行リンク１９と平行な１つの下側平行リンク２１を介して連結されている。【選択図】図２
2018188842.tif 000002
【特許請求の範囲】
【請求項１】
開閉扉によって開閉される開口部の片側に、開口部閉じ位置にある開閉扉と直線状に連続する位置に固定壁板が設けられ、この固定壁板の外側に重なる開口部開き位置と前記開口部の外側位置との間にわたって開閉扉が直線状に横動可能な横動経路が設けられ、前記開閉扉は、開口部閉じ位置とその外側の前記横動経路との間を、開口部の内外方向に斜め平行移動自在に構成されている開閉扉装置であって、開口部閉じ位置にある前記開閉扉の上端部内側の位置と前記固定壁板の上端部内側の位置とにわたって直線状に連続する上側ガイドレールが設けられ、前記固定壁板の下端部内側には、前記開口部開き位置にある開閉扉より前記開口部内に突出しない長さの下側ガイドレールが設けられ、前記開閉扉の上端部は、前記上側ガイドレールに横動自在に支持された上側横動体に、開閉扉前端側平行リンクと開閉扉後端側平行リンクとを介して開口部の内外方向に斜め平行移動自在に吊り下げられ、前記開閉扉の下端後端部は、前記下側ガイドレールに横動自在に係合する下側横動体に、前記開閉扉後端側平行リンクの真下で当該開閉扉後端側平行リンクと平行な１つの下側平行リンクを介して連結され、前記開閉扉後端側平行リンクと前記下側平行リンクとには、カム従動ローラーが軸支された制御レバーがそれぞれ連設され、前記上側ガイドレールと下側ガイドレールには、開閉扉が開口部閉じ位置にあるときに前記カム従動ローラーと各別に係合する制御用カムレールがそれぞれ併設され、この制御用カムレールと前記カム従動ローラー及び制御レバーにより、開口部閉じ位置とこれより手前の位置との間の開閉扉の横動に伴って前記各平行リンクを揺動させて、開閉扉を前記開口部閉じ位置と前記横動経路との間で開口部の内外方向に斜め平行移動させるように構成された、開閉扉装置。
【請求項２】
前記固定壁板は、その上下両側に水平の空間が確保される状態に架設され、当該固定壁板の上端内側には、Ｌ字形断面の支持部材が、その下側水平板部の先端に前記固定壁板の内側面が隣接するように配設され、前記固定壁板の下端内側には、床面より高い位置で水平に中間床板が配設され、前記上側ガイドレールと下側ガイドレールは、垂直帯状板部の内側に断面がリップ付き溝形形状のレール部が一体に連設された同一構造のもので、上側ガイドレールは、前記支持部材の下側水平板部の上に前記レール部の底板が載置され且つ前記垂直帯状板部が前記支持部材の下側水平板部の端面に当接するように当該支持部材に取り付けられ、下側ガイドレールは、前記中間床板の底面に前記レール部の底板が当接し且つ前記垂直帯状板部が前記中間床板の端面に当接するように当該中間床板に取り付けられ、前記上側横動体に軸支された前後一対の前記平行リンクは、当該上側横動体の上側から前記固定壁板の上側空間を経由して前記横動経路側に延出し、前記下側横動体に軸支された前記１つの下側平行リンクは、当該下側横動体の下側から前記固定壁板の下側空間を経由して前記横動経路側に延出している、請求項１に記載の開閉扉装置。
【請求項３】
前記上下各制御用カムレールは、前記上下各ガイドレールの垂直帯状板部の外側に重なって取り付けられる垂直取付け板と、この垂直取付け板の上下方向の一端にＴ字形に連設されたカム溝付き本体とから成る同一構造のもので、このカム溝付き本体の外側半分が前記固定壁板の上下両端角部に形成された凹部内に嵌合すると共に内側半分が前記上側ガイドレールと下側ガイドレールのレール部における垂直帯状板部側のリップ部の外側に重なっている、請求項２に記載の開閉扉装置。
【請求項４】
前記固定壁板の前記開口部側の側辺は、床面上に立設された内側仕切り壁板の前側端面に重なって固着され、前記内側仕切り壁板の前記開口部側の側面には、開口部閉じ位置にある前記開閉扉の後端部内側に隣接すると共に当該開閉扉の後端部と前記固定壁板との間の隙間を塞ぐ桟木が取り付けられ、前記内側仕切り壁板から前記開口部内に突出する下側ガイドレールの端部には、カバー部材が外嵌固定されている、請求項１〜３の何れか１項に記載の開閉扉装置。
【請求項５】
前記開口部の前記固定壁板のある側とは反対側の側辺には、開口部閉じ位置にある前記開閉扉の前端部内側に隣接する端面を備えた外側仕切り壁板が床面上に立設されている、請求項１〜４の何れか１項に記載の開閉扉装置。
【発明の詳細な説明】
【技術分野】
【０００１】
本発明は、間仕切り壁に設けられた開口部を開閉する手段として活用出来る開閉扉装置に関するものである。
【背景技術】
【０００２】
人の通路などに利用される開口部が間仕切り壁に設けられる場合がある。この場合、その開口を扉で開閉する必要があるときには、開口部に沿って横動する引き戸や開口部に対して遠近方向に揺動する開き戸が使用される。開き戸に比べて引き戸は、間仕切り壁と平行に横動するものであるから、間仕切り壁の手前に開き戸が揺動するための大きな空間を確保しておく必要が無いが、開口部を閉じているとき、開き戸のように、扉の表面と間仕切り壁の表面との間に扉の厚さ分の段差が生じるものであった。しかし近年になって、特許文献１に記載されるように、閉じたときに表面が面一になる引き違い戸が知られるようになった。
【先行技術文献】
【特許文献】
【０００３】
【特許文献１】特許第６０８６９６２号公報
【発明の概要】
【発明が解決しようとする課題】
【０００４】
特許文献１に記載されるような引き違い戸は、直線的に横動する第一の引き戸と、前側に平行移動した後に前記第一の引き戸の外側に沿って横動する第二の引き戸の組み合わせから構成されたものであって、仮に第一の引き戸を固定の壁板に置き換えて、第二の引き戸のみを開口部の開閉に利用することを考えてみても、第二の引き戸は、その上端側だけでなく下端側も、ガイドレールと、引き戸平行移動用の前後一対の平行リンクを備えた横動体とから成る引き戸支持案内手段が閉じ位置から開き位置までの横動全領域にわたって設けられるものであるから、床面に接して設けられるような人の通行に利用される開口部の開閉のための開閉扉装置には不向きである。即ち、引き戸を開いたときに開口部の床面側に、上記の引き戸支持案内手段におけるガイドレールが存在し、吊り引き戸のようにフラットな床面のみが存在するようには実施することが出来ない。
【課題を解決するための手段】
【０００５】
本発明は、上記のような従来の問題点を解消することのできる開閉扉装置を提案するものであって、本発明に係る開閉扉装置は、後述する実施例との関係を理解し易くするために、当該実施例の説明において使用した参照符号を括弧付きで付して示すと、開閉扉(16)によって開閉される開口部(1)の片側に、 開口部閉じ位置にある開閉扉(16)と直線状に連続する位置に固定壁板(6)が設けられ、 この固定壁板(6)の外側に重なる開口部開き位置と前記開口部(1)の外側位置との間にわたって開閉扉(16)が直線状に横動可能な横動経路(34)が設けられ、前記開閉扉(16)は、 開口部閉じ位置とその外側の前記横動経路(34)との間を、 開口部(1)の内外方向に斜め平行移動自在に構成されている開閉扉装置であって、開口部閉じ位置にある前記開閉扉(16)の上端部内側の位置と前記固定壁板(6) の上端部内側の位置とにわたって直線状に連続する上側ガイドレール(10)が設けられ、前記固定壁板(6)の下端部内側には、前記開口部開き位置にある開閉扉(16)より前記開口部(1)内に突出しない長さの下側ガイドレール(11)が設けられ、前記開閉扉(16)の上端部は、前記上側ガイドレール(10)に横動自在に支持された上側横動体(17)に、開閉扉前端側平行リンク(18)と開閉扉後端側平行リンク(19)とを介して開口部(1) の内外方向に斜め平行移動自在に吊り下げられ、前記開閉扉(16)の下端後端部は、前記下側ガイドレール(11)に横動自在に係合する下側横動体(20)に、前記開閉扉後端側平行リンク(19)の真下で当該開閉扉後端側平行リンク(19)と平行な１つの下側平行リンク(21)を介して連結され、前記開閉扉後端側平行リンク(19)と前記下側平行リンク(21)とには、カム従動ローラー(29a,30a)が軸支された制御レバー(29,30)がそれぞれ連設され、前記上側ガイドレール(10)と下側ガイドレール(11)には、開閉扉(16)が開口部閉じ位置にあるときに前記カム従動ローラー(29a,30a)と各別に係合する制御用カムレール(14,15)がそれぞれ併設され、この制御用カムレール(14,15)と前記カム従動ローラー(29a,30a)及び制御レバー(29,30)により、開口部閉じ位置とこれより手前の位置との間の開閉扉(16)の横動に伴って前記各平行リンク(18,19,21)を揺動させて、 開閉扉(16)を前記開口部閉じ位置と前記横動経路(34)との間で開口部(1)の内外方向に斜め平行移動させる構成になっている。
【発明の効果】
【０００６】
上記本発明の構成によれば、開閉扉が開口部閉じ位置にあるときは、当該開口部の片側に配設されている固定壁板と開閉扉とが直線状に連続する状態になるので、例えば固定壁板と表面と開閉扉の表面とを面一になるようにして、開閉扉を固定壁板の一部分と見えるように構成することが出来る。しかも開口部を開くときは、開口部閉じ位置にある開閉扉を開き方向に力をかけるだけで、一旦開口部の外側へ斜め平行移動させた後に、固定壁板の外側に重なるように直線状に横動させることが出来、その逆に開口部を閉じるときは、開口部開き位置にある開閉扉を閉じ方向に力をかけるだけで、開口部の外側まで直線状に横動させた後に、開閉扉を開口部側へ斜め平行移動させて、開口部を閉じることが出来るので、一般的な引き戸の開閉操作と余り変わりなく、開閉扉を簡単容易に開閉動作させることが出来る。又、開閉扉は、その上端側が横動方向の前後一対の平行リンクを介して上側横動体に吊り下げられ、この開閉扉の下端側は、後端側の一か所が平行リンクを介して下側横動体に支持された３点支持状態にあるから、開閉扉が開口部の内外方向に揺れ動く恐れはなく、常に垂直姿勢に保持された安定状態にある。しかも、開閉扉が開口部開き位置に移動して開口部が開かれたとき、その開かれた開口部の床面側には、床面上に敷設されたガイドレールや床面下に凹んだ溝状のガイドレールも存在しない、フラットな床面を確保することが出来、人が通行する通路として安全に開口部を活用出来る。
【０００７】
上記本発明を実施する場合、具体的には、前記固定壁板(6)は、その上下両側に水平の空間が確保される状態に架設し、当該固定壁板(6)の上端内側には、Ｌ字形断面の支持部材(9)を、その下側水平板部(9a)の先端に前記固定壁板(6)の内側面が隣接するように配設し、前記固定壁板(6)の下端内側には、床面より高い位置で水平に中間床板(8)を配設し、前記上側ガイドレール(10)と下側ガイドレール(11)は、垂直帯状板部(10a,11a)の内側に断面がリップ付き溝形形状のレール部(10b,11b)が一体に連設された同一構造にして、 上側ガイドレール(10)は、前記支持部材(9)の下側水平板部(9a)の上に前記レール部(10b)の底板を載置すると共に前記垂直帯状板部(10a)が前記支持部材(9)の下側水平板部(9a)の端面に当接するように当該支持部材(9)に取り付け、下側ガイドレール(11)は、前記中間床板(8)の底面に前記レール部(11b)の底板を当接させると共に前記垂直帯状板部(11a)が前記中間床板(8)の端面に当接するように当該中間床板(8)に取り付け、前記上側横動体(17)に軸支された前後一対の前記平行リンク(18,19)は、当該上側横動体(17)の上側から前記固定壁板(6)の上側空間を経由して前記横動経路(34)側に延出し、前記下側横動体(20)に軸支された前記１つの下側平行リンク(21)は、当該下側横動体(20)の下側から前記固定壁板(6)の下側空間を経由して前記横動経路(34)側に延出するように構成することが出来る。この構成によれば、開口部の上側に上側ガイドレールが露出しないばかりでなく、固定壁板の内側空間を収納空間に利用する場合でも、当該収納空間の床面が少し高くなるだけで、固定壁板の上下両端入隅部にガイドレールが露出しないので、収納空間として活用し易い。
【０００８】
前記上下各制御用カムレール(14,15)は、前記上下各ガイドレール(10,11)の垂直帯状板部(10a,11a)の外側に重なって取り付けられる垂直取付け板(14a,15a)と、この垂直取付け板(14a,15a)の上下方向の一端にＴ字形に連設されたカム溝付き本体(14b,15b)とから成る同一構造に構成し、このカム溝付き本体(14b,15b)の外側半分が前記固定壁板(6)の上下両端角部に形成された凹部内に嵌合すると共に内側半分が前記上側ガイドレール(10)と下側ガイドレール(11)のレール部(10b,11b)における垂直帯状板部(10a,11a)側のリップ部の外側に重なるように構成することが出来る。この構成によれば、上下両制御用カムレールを例えば木製の固定壁板に取り付ける場合と比較して、金属や合成樹脂で形成される上側ガイドレールと下側ガイドレールに制御用カムレールを取り付けるのであるから、制御用カムレールの取付け強度を高めることが容易であるばかりでなく、前以て制御用カムレールを上下各ガイドレールに取り付けておくことが出来るので、開閉扉装置の組み立てを効率良く行える。
【０００９】
更に、前記固定壁板(6)の前記開口部(1)側の側辺は、床面上に立設された内側仕切り壁板(7)の前側端面に重なるように固着し、 前記内側仕切り壁板(7)の前記開口部(1)側の側面には、開口部閉じ位置にある前記開閉扉(16)の後端部内側に隣接すると共に当該開閉扉(16)の後端部と前記固定壁板(6)との間の隙間を塞ぐ桟木(13)を取り付け、 前記内側仕切り壁板(7)から前記開口部(1)内に突出する下側ガイドレール(11)の端部(11d)には、 カバー部材(12)を外嵌固定することが出来る。この構成によれば、開口部閉じ位置にある開閉扉の後端部に人がもたれかかるようなことがあっても、開閉扉後端部が開口部内に移動するのを前記桟木によって受け止めることが出来、この開閉扉の後端部を支持している上下一対の平行リンクに無理な外力が作用するのを防止出来る。又、開口部内に下側ガイドレールの端部が露出していないので、安全であると共に美観も良くすることが出来る。
【００１０】
又、前記開口部(1)の前記固定壁板(6)のある側とは反対側の側辺には、開口部閉じ位置にある前記開閉扉(16)の前端部内側に隣接する端面を備えた外側仕切り壁板(3)を床面上に立設することが出来る。この構成によれば、開口部閉じ位置にある開閉扉の前端部に人がもたれかかるようなことがあっても、開閉扉前端部が開口部内に移動するのを前記外側仕切り壁板によって受け止めることが出来、この開閉扉の上端前部を支持している開閉扉前端側平行リンクに無理な外力が作用するのを防止出来る。
【図面の簡単な説明】
【００１１】
【図１】図１は、開口部閉じ状態を示す正面図である。
【図２】図２は、開口部閉じ状態を示す一部切欠き平面図である。
【図３】図３は、開口部閉じ状態を示す一部切欠き底面図である。
【図４】図４は、開口部閉じ状態を示す横断平面図である。
【図５】図５は、開閉扉とこれを支持する上下両横動体を取り外した状態を示す一部切欠き正面図である。
【図６】図６Ａは、開口部閉じ状態での開閉扉の縦断側面図、図６Ｂは、開口部閉じ位置にある開閉扉と固定壁板との間の位置での縦断側面図である。
【図７】図７は、開口部開き状態を示す正面図である。
【図８】図８は、開口部開き状態を示す一部切欠き平面図である。
【図９】図９は、開口部開き状態を示す一部切欠き底面図である。
【図１０】図１０Ａは、開口部開き状態での開閉扉の縦断側面図、図１０Ｂは、開口部開き状態での開閉扉及び固定壁板の縦断側面図である。
【図１１】図１１Ａは、上側横動体を構成する一対の横動本体の内、制御用レバー付き平行リンクを軸支する横動本体を示す横断平面図、図１１Ｂは、同縦断正面図、図１１Ｃは同縦断側面図である。
【図１２】図１２は、各横動本体に内装されたリンク姿勢切換え保持手段を示す横断平面図である。
【発明を実施するための形態】
【００１２】
図１〜図１０Ｂにおいて、人が通行出来る正面視縦長長方形の開口部１は、この開口部１の左右両側に互いに平行に立設された内側仕切り壁板２と外側仕切り壁板３、床面４、及び天井板５によって形成されている。この開口部１の片側には、内側仕切り壁板２の前端面に側辺部が重なるように固定壁板６が垂直に立設されている。この固定壁板６は、図１、図６Ｂ、及び図７に示すように、その上端は天井板５の上面より低く且つその下端は床面４より高くなるように、その左右両側辺が前記内側仕切り壁板２の前端面と補助仕切り壁板７の前端面とに当接固着されている。又、図６Ｂに示すように内側仕切り壁板２と補助仕切り壁板７との間には、固定壁板６の下端より高い高さ（従って、床面４より高い高さ）で中間床板８が水平に架設されると共に、天井板５の前側辺には、Ｌ字形断面の支持部材９の垂直板部９ａの上端外側面が固着されている。従って、固定壁板６の下端近傍の内側面が中間床板８の前端面に隣接すると共に、当該固定壁板６の上端近傍の内側面が支持部材９の下側水平板部９ｂの先端面に隣接している。尚、天井板５は、天井面の下側に付設されたものであるが、前記支持部材９の垂直板部９ａの上端面を天井面に当接させるように、当該支持部材９を天井面に付設して天井板５を省くことも可能である。
【００１３】
全ての仕切り壁板２，３，７の上端前側の出隅部には、前記支持部材９が嵌合するように段状凹部が切欠形成され、これらの段状凹部に支持部材９が嵌合固着されることにより、支持部材９が両端の外側仕切り壁板３と補助仕切り壁板７との間にわたって水平に連続するように架設されている。この支持部材９の上側の入隅部には、その略全域にわたって連続するように、上側ガイドレール１０が嵌合固定されている。この上側ガイドレール１０は、図６Ａ及び図６Ｂに示すように、垂直帯状板部１０ａの内側の上端側に、断面がリップ付き溝形形状のレール部１０ｂが、上側が解放される向きで一体に連設されたもので、このレール部１０ｂが支持部材９の上側の入隅部に嵌合し且つ垂直帯状板部１０ａの下半部が支持部材９の下側水平板部９ｂの前端に形成された切欠凹部内に嵌合している。中間床板８の前端下側には下側ガイドレール１１が固着されている。この下側ガイドレール１１は、前記上側ガイドレール１０と同一構造のガイドレールを上下反転させた構造のものであって、垂直帯状板部１１ａの内側の下端側に、断面がリップ付き溝形形状のレール部１１ｂが、下側が解放される向きに一体に連設されており、このレール部１１ｂが中間床板８の前端下側面に当接し且つ垂直帯状板部１１ａの上半部が中間床板８の前端に形成された切欠凹部内に嵌合する状態で中間床板８に取り付けられている。
【００１４】
下側ガイドレール１１は、図９に示すように、中間床板８の補助仕切り壁板７側の端から内側仕切り壁板２の前端下側の出隅部に形成された切欠凹部を貫通して開口部１内に突出する長さを有するものであって、内側仕切り壁板２の開口部１側の側面の下端部には、この内側仕切り壁板２から突出する下側ガイドレール１１の突出端部１１ｄに嵌合するカバー部材１２が取り付けられている。このカバー部材１２は、図６Ａに示すように、内側仕切り壁板２の内側にある中間床板８の上端より少し高い高さを有するもので、図７に点線で示すように、その上端の水平出隅部は円弧形に面取りされている。又、図４に示すように、内側仕切り壁板２の開口部１に面する側面の前端部に、固定壁板６の高さ方向全域にわたって桟木１３が取り付けられている。この桟木１３は、図４に示すように、横断面における正面側の出隅部が切欠されたＬ字形断面のものであって、その突条部１３ａが、固定壁板６の開口部１に面する端面の略半分の領域を覆う状態に位置し、突条部１３ａに連なる主柱部１３ｂは、図５に示すように、支持部材９の下側で途切れており、これより上は突条部１３ａのみが上側ガイドレール１０の垂直帯状板部１０ａの上端（固定壁板６の上端）まで延びている。又、この桟木１３の前記カバー部材１２と重なる下端部は切除されて、当該カバー部材１３の外側に被さるように構成されている。
【００１５】
上側ガイドレール１０には上側制御用カムレール１４が取り付けられ、下側ガイドレール１１には下側制御用カムレール１５が取り付けられている。これら上下各制御用カムレール１４，１５は、垂直取付け板１４ａ，１５ａと、この垂直取付け板１４ａ，１５ａの上下方向の一端にＴ字形に連設されたカム溝付き本体１４ｂ，１５ｂとから成る同一構造のものを、上側制御用カムレール１４は上端側にカム溝付き本体１４ｂが位置する正立状態で、下側制御用カムレール１５は下端側にカム溝付き本体１５ｂが位置する倒立状態で使用され、これらカム溝付き本体１４ｂ，１５ｂの外側半分が固定壁板６の上下両端角部に形成された凹部６ａ，６ｂ内に嵌合すると共に内側半分が上下各ガイドレール１０，１１のレール部１０ｂ，１１ｂにおける垂直帯状板部１０ａ，１１ａ側のリップ部の外側に重なるように、上下各ガイドレール１０，１１の垂直帯状板部１０ａ，１１ａの外側に垂直取付け板１４ａ，１５ａが重ねられて取り付けられている。
【００１６】
尚、この上下各制御用カムレール１４，１５の取付け状態において、垂直取付け板１４ａ，１５ａの外側面が、支持部材９の下側水平板部９ｂの前端面及び中間床板８の前端面と略面一になるように、これら支持部材９の下側水平板部９ｂの前端面及び中間床板８の前端面に形成された、上下各ガイドレール１０，１１の垂直帯状板部１０ａ，１１ａが嵌合する切欠凹部の深さが決められている。
【００１７】
開口部１を開閉する開閉扉１６は、固定壁板６と板厚及び上下高さが同一の矩形板材から構成されたもので、後端部は内側出隅部が切除されて、表面と面一に張り出す薄板部１６ａが形成され、この開閉扉１６が固定壁板６と直列して開口部１を塞ぐ状態にあるとき、前端部は外側仕切り壁板２の前端面に当接すると共に、後端部の薄板部１６ａが桟木１３の突条部１３ａの外側面に当接するように構成されている。この開閉扉１６は、図２及び図６Ａに示すように、その上端の前後両端部が、上側ガイドレール１０に横動自在に嵌合する上側横動体１７に横動方向前後一対の平行リンク１８，１９を介して吊り下げられると共に、その下端の後端部が、下側ガイドレール１１に横動自在に嵌合する下側横動体２０に１つの下側平行リンク２１を介して連結されている。
【００１８】
上側横動体１７は、図２に示すように、前端側平行リンク１８を垂直支軸１８ａによって軸支する前端側横動単体２２と、後端側平行リンク１９を垂直支軸１９ａによって軸支する後端側横動単体２３とを、棒状連結部材２４によって連結一体化したものであり、下側横動体２０は、下側平行リンク２１を垂直支軸２１ａによって軸支する１つの横動単体２５から構成されている。開閉扉１６を吊り下げている前後一対の平行リンク１８，１９の開閉扉１６側の端部は、開閉扉１６の上端部の内側出隅部に埋設された軸受け部材２６，２７に、前後両平行リンク１８，１９が互いに平行になる状態で垂直支軸１８ｂ，１９ｂを介して軸支されている。開閉扉１６の下端後端部を位置決めしている下側平行リンク２１の開閉扉１６側の端部は、開閉扉１６の下端部の内側出隅部に埋設された軸受け部材２８に、真上の後端側平行リンク１９とこの下側平行リンク２１とが互いに平行になる状態で垂直支軸２１ｂを介して軸支されている。上側の前端側平行リンク１８の両端垂直支軸１８ａ，１８ｂ間の間隔、上側の後端側平行リンク１９の両端垂直支軸１９ａ，１９ｂ間の間隔、及び下側平行リンク２１の両端垂直支軸２１ａ，２１ｂ間の間隔は、互いに等しく、下側平行リンク２１の両端垂直支軸２１ａ，２１ｂは、その真上に位置する上側の後端側平行リンク１９の両端垂直支軸１９ａ，１９ｂと同心状に位置している。
【００１９】
図１〜図３に示すように、開閉扉１６が開口部１を閉じる開口部閉じ位置にあるとき、全ての平行リンク１８，１９，２１は、開閉扉１６から斜め後方に延出する倒伏姿勢にあって、上側の前後一対の平行リンク１８，１９は、上側横動体１７の上側から上側ガイドレール１０の垂直帯状板部１０ａの上側を経由して開閉扉１６の上側に延出し、下側平行リンク２１は、下側横動体２０の下側から下側ガイドレール１１の垂直帯状板部１１ａの下側を経由して開閉扉１６の下側に延出している。尚、上側の前後一対の平行リンク１８，１９は、天井板５の上側面レベルより下側に位置している。
【００２０】
平行リンク１８，１９，２１の内、上側の後端側平行リンク１９と下側平行リンク２１には、これら平行リンク１９，２１から略直角斜め前方に延出する制御レバー２９，３０が一体に連設されている。上側の後端側平行リンク１９から連設された制御レバー２９の先端下側にはカム従動ローラー２９ａが垂直支軸によって軸支され、下側平行リンク２１３０から連設された制御レバー３０の先端上側にはカム従動ローラー３０ａが、前記カム従動ローラー２９ａと同心状に垂直支軸によって軸支されている。図２及び図３に示すように、開閉扉１６が開口部１を閉じる開口部閉じ位置にあるとき、上側の制御レバー２９のカム従動ローラー２９ａは、上側の制御用カムレール１４のカム溝付き本体１４ｂの上面側に形成されたカム溝１４ｃの終端位置に上側から嵌合しており、下側の制御レバー３０のカム従動ローラー３０ａは、下側の制御用カムレール１５のカム溝付き本体１５ｂの下面側に形成されたカム溝１５ｃの終端位置に下側から嵌合している。
【００２１】
これら制御用カムレール１４，１５のカム溝付き本体１４ｂ，１５ｂのカム溝１４ｃ，１５ｃは、その終端位置が平面視において固定壁板６の厚さの範囲内に入り込んでおり、この終端から遠ざかる（開口部１から離れる）に従って平面視において固定壁板６の裏面側に近づくように傾斜している。そして、上側のカム従動ローラー２９ａを案内するカム溝１４ｃの始端開口部は、上側ガイドレール１０の垂直帯状板部１０ａのレール部１０ｂより上方に突出する帯状レール部１０ｃの内側に接して開口し、下側のカム従動ローラー３０ａを案内するカム溝１５ｃの始端開口部は、下側ガイドレール１１の垂直帯状板部１１ａのレール部１１ｂより下方に突出する帯状レール部１１ｃの内側に接して開口している。
【００２２】
上側横動体１７及び下側横動体２０を構成している全ての横動単体２２，２３，２５は、同一構造のものであって、一例として後端側横動単体２３を示している図１１Ａ〜図１１Ｃに示すように、上下各ガイドレール１０，１１のレール部１０ｂ，１１ｂにおける左右両溝形レール部３１ａ，３１ｂの内側に嵌合するように水平支軸で軸支された左右一対前後二組の支持用車輪３２と、左右両溝形レール部３１ａ，３１ｂの垂直側壁部の内側面に隣接するように垂直支軸で軸支された左右一対前後二組の振れ止め用ローラー３３とを備えたもので、これら４つの支持用車輪３２と４つの振れ止め用ローラー３３とによって、平行リンク１８，１９，２１を介して開閉扉１６を片持ち状に支持する横動単体２２，２３，２５が上下各ガイドレール１０，１１のレール部１０ｂ，１１ｂ内を円滑に直進出来るように構成されている。そして各平行リンク１８，１９，２１は、図２及び図３に示すように開閉扉１６が開口部閉じ位置にあるときの倒伏姿勢と、図８に示すように開閉扉１６が固定壁板６の外側の当該固定壁板６と平行な横動経路３４内にあるときの起立姿勢との間でのみ水平揺動自在なものであるが、各横動単体２２，２３，２５内には、各平行リンク１８，１９，２１を前記倒伏姿勢と起立姿勢とに択一的に弾性力で保持する平行リンク姿勢制御機構３５が内装されている。
【００２３】
前記平行リンク姿勢制御機構３５は、図１２に示すように、垂直支軸１８ａ，１９ａ，２１ａを介して各平行リンク１８，１９，２１と一体に回転する回転カム３６、圧縮コイルバネ３７によって作用位置に付勢保持される可動ストッパー３８、固定ストッパー３９、緩衝用ダンパー４０、及び緩衝用ダンパー４０と回転カム３６との間に介装されて緩衝用ダンパー４０の作動ピンを受け止める可動体４１から構成されている。
【００２４】
平行リンク１８，１９，２１が倒伏姿勢にあるときは、図１２に示すように、回転カム３６の周方向一対のカム突起３６ａ，３６ｂ間に、可動ストッパー３８の先端爪部３８ａと固定ストッパー３９が入り込んで、平行リンク１８，１９，２１を倒伏姿勢に保持する。この平行リンク１８，１９，２１を一定以上の操作力により起立姿勢の方向に揺動させようとすると、回転カム３６のカム突起３６ａが可動ストッパー３８の先端爪部３８ａを圧縮コイルバネ３７の付勢力に抗して後退移動させることにより、平行リンク１８，１９，２１を起立姿勢の方向に揺動させることが出来る。このとき、緩衝用ダンパー４０の復元力が可動体４１を介して回転カム３６の他方のカム突起３６ｂに作用して、平行リンク１８，１９，２１を起立姿勢の方向に付勢するので、回転カム３６のカム突起３６ａが固定ストッパー３９に当接する制限位置まで回転し、平行リンク１８，１９，２１が起立姿勢に達して停止する。この状態は、回転カム３６のカム突起３６ａに可動ストッパー３８の先端爪部３８ａが圧縮コイルバネ３７の付勢力で押圧していることにより、保持される。
【００２５】
起立姿勢にある平行リンク１８，１９，２１に倒伏姿勢に戻る方向の操作力が働くと、回転カム３６のカム突起３６ａが可動ストッパー３８の先端爪部３８ａを圧縮コイルバネ３７の付勢力に抗して少し後退移動させた後に、圧縮コイルバネ３７の付勢力で突出移動する可動ストッパー３８の先端爪部３８ａが回転カム３６のカム突起３６ａの内側に割り込んでゆくことになり、平行リンク１８，１９，２１が倒伏姿勢の方向に揺動することになる。一方、回転カム３６の他方のカム突起３６ｂは、可動体４１を緩衝用ダンパー４０の復元力に抗して後退移動させるので、緩衝用ダンパー４０が働いて平行リンク１８，１９，２１が倒伏姿勢の方向に衝撃的に揺動するのを抑制出来る。平行リンク１８，１９，２１が倒伏姿勢に達したときは、先に説明した状態となって、平行リンク１８，１９，２１が倒伏姿勢に保持される。
【００２６】
図１〜図３に示すように、開閉扉１６が開口部閉じ位置にあるとき、各平行リンク１８，１９，２１が図１２に示す平行リンク姿勢制御機構３５の働きで倒伏姿勢に保持されていることにより、開閉扉１６は開口部閉じ位置に保持されており、開閉扉１６が不足に開動する恐れはない。この状態から開閉扉１６を固定壁板６のある方向へ開動させる操作力を、例えば開閉扉１６に設けられた把手部（図示省略）を利用して開閉扉１６に作用させると、倒伏姿勢の各平行リンク１８，１９，２１を介して上下両横動体１７，２０が開動方向に移動し始めるが、同時に、上側の後端側平行リンク１９の制御レバー２９のカム従動ローラー２９ａと下側平行リンク２１の制御レバー３０のカム従動ローラー３０ａが上下各制御用カムレール１４，１５のカム溝１４ｃ，１５ｃ内を終端から離れる方向に移動して、上下各制御レバー２９，３０が平面視で固定壁板６の裏面側へ揺動せしめられることになる。この結果、倒伏姿勢の上下両平行リンク１８，２１は、それぞれの制御レバー２９，３０を介して上下各制御用カムレール１４，１５により開閉扉１６の開動に伴って倒伏姿勢から起立姿勢に強制的に揺動せしめられ、上側の前端側平行リンク１８の追従揺動を伴って、開閉扉１６は開動に伴いながら開口部閉じ位置から横動経路３４内へ斜めに平行移動することになる。
【００２７】
上記動作により、開閉扉１６が開口部閉じ位置から横動経路３４内へ斜めに平行移動したとき、各平行リンク１８，１９，２１が倒伏姿勢から起立姿勢に切り換わっており、その起立姿勢が、図１２に示した平行リンク姿勢制御機構３５によって保持されるので、この後は開閉扉１６が、固定壁板６の外側の横動経路３４内を開動し、開口部１が図７及び図８に示すように開かれた状態になる。尚、開閉扉１６の開動限位置を決めるために、例えば開閉扉１６の前端近傍の裏面側に、ゴムなどの緩衝効果のある素材で形成されたストッパー４２を取り付けておき、開閉扉１６が開動限位置に達したときに前記ストッパー４２が固定壁板６の開口部１側の端面（具体的には、桟木１３の突条部１３ａより正面側に突出している部分）に当接して、それ以上の開動が阻止されるように構成しておくのが望ましい。又、開閉扉１６が斜めに平行移動して横動経路３４内に達したときには、上下各制御レバー２９，３０のカム従動ローラー２９ａ，３０ａが上下各制御用カムレール１４，１５のカム溝１４ｃ，１５ｃから離脱して、上下各ガイドレール１０，１１の垂直帯状板部１０ａ，１１ａの上端の帯状レール部１０ｃ，１１ｃの内側に入り込み、この後は、カム従動ローラー２９ａ，３０ａが帯状レール部１０ｃ，１１ｃの内側を転動することになる。従って、横動経路３４内を横動しているか又は開動限位置にある開閉扉１６に固定壁板６側へ押し付けるような外力が作用したとき、即ち、起立姿勢の各平行リンク１８，１９，２１を倒伏姿勢に変化させるような外力が作用しても、上下各制御レバー２９，３０のカム従動ローラー２９ａ，３０ａが帯状レール部１０ｃ，１１ｃの内側面に当接して、その外力を受け止めるので、開閉扉１６が固定壁板６に接触するようなことはない。
【００２８】
以上のようにして開口部閉じ位置にある開閉扉１６を開動限位置まで開動させることが出来るが、開閉扉１６が開動限位置にあるとき図７及び図９に示すように、開口部１に対し固定壁板６側にある内側仕切り壁板２より開閉扉１６の前端部が開口部１内に突出して、桟木１３を正面側から隠しているので、開口部１は、外側仕切り壁板２と開閉扉１６の前端、床面４、及び上側ガイドレール１０を備えた支持部材９によって囲まれた正面視矩形の状態であり、床面４上を人や台車の行き来は支障なく行える。勿論、内側仕切り壁板２より開口部１内に突出している下側ガイドレール１１の突出端部１１ｄは、桟木１３を超えて開口部１内に突出しているものではないので、この下側ガイドレール１１の突出端部１１ｄが、開口部１を行き来する人や台車を妨害する恐れも無い。
【００２９】
開動限位置にある開閉扉１６を開口部閉じ位置まで閉動させて、当該開閉扉１６により開口部１を閉じるときは、開動限位置にある開閉扉１６を閉動方向に動かすだけで良い。即ち、開口部閉じ位置にある開閉扉１６を開動させたときと丁度逆の作用により、開閉扉１６が横動経路３４の終端近くに達して、上下両制御レバー２９，３０のカム従動ローラー２９ａ，３０ａが上下各制御用カムレール１４，１５のカム溝１４ｃ，１５ｃ内に進入すると、それ以降の開閉扉１６の横動に伴って上下両制御レバー２９，３０が垂直支軸１９ａ，２１ａの周りに外側へ強制揺動せしめられることにより、上下両平行リンク１９，２１が起立姿勢から倒伏姿勢に変化するので、最終的に開閉扉１６は、横動経路３４内から内側へ平行移動して、固定壁板６と面一に直列する開口部閉じ位置に到達し、外側仕切り壁板２の前端面と桟木１３の突条部１３ａとで受け止められる最初の開口部閉じ状態に復帰することになる。
【産業上の利用可能性】
【００３０】
本発明の開閉扉装置は、建物内の間仕切り壁に設けられた開口部を開閉する手段として活用出来る。
【符号の説明】
【００３１】
１    開口部
２    内側仕切り壁板
３    外側仕切り壁板
４    床面
５    天井板
６    固定壁板
７    補助仕切り壁板
８    中間床板
９    支持部材
１０    上側ガイドレール
１０ａ，１１ａ    垂直帯状板部
１０ｂ，１１ｂ    レール部
１０ｃ，１１ｃ    帯状レール部
１１    下側ガイドレール
１１ｄ    突出端部
１２    カバー部材
１３    桟木
１４，１５    制御用カムレール
１４ａ，１５ａ    垂直取付け板
１４ｂ，１５ｂ    カム溝付き本体
１４ｃ，１５ｃ    カム溝
１６    開閉扉
１７    上側横動体
１８，１９，２１    平行リンク
２０    下側横動体
２２，２３，２５    横動単体
２４    棒状連結部材
２６〜２８    軸受け部材
２９，３０    制御レバー
２９ａ，３０ａ    カム従動ローラー
３４    横動経路
３５    平行リンク姿勢制御機構
【図１】
2018188842.tif 000003
【図２】
2018188842.tif 000004
【図３】
2018188842.tif 000005
【図４】
2018188842.tif 000006
【図５】
2018188842.tif 000007
【図６】
2018188842.tif 000008
【図７】
2018188842.tif 000009
【図８】
2018188842.tif 000010
【図９】
2018188842.tif 000011
【図１０】
2018188842.tif 000012
【図１１】
2018188842.tif 000013
【図１２】
2018188842.tif 000014
【手続補正書】
【提出日】平成30年4月26日(2018.4.26)
【手続補正１】
【補正対象書類名】特許請求の範囲
【補正対象項目名】請求項１
【補正方法】変更
【補正の内容】
【請求項１】
開閉扉によって開閉される開口部の片側に、開口部閉じ位置にある開閉扉と直線状に連続する位置に固定壁板が設けられ、この固定壁板の外側に重なる開口部開き位置と前記開口部の外側位置との間にわたって開閉扉が直線状に横動可能な横動経路が設けられ、前記開閉扉は、開口部閉じ位置とその外側の前記横動経路との間を、開口部の内外方向に斜め平行移動自在に構成されている開閉扉装置であって、開口部閉じ位置にある前記開閉扉の上端部内側の位置と前記固定壁板の上端部内側の位置とにわたって直線状に連続する上側ガイドレールが設けられ、前記固定壁板の下端部内側には、前記開口部開き位置にある開閉扉より前記開口部内に突出しない長さの下側ガイドレールが設けられ、前記開閉扉の上端部は、前記上側ガイドレールに横動自在に支持された上側横動体に、開閉扉前端側平行リンクと開閉扉後端側平行リンクとを介して開口部の内外方向に斜め平行移動自在に吊り下げられ、前記開閉扉の下端後端部は、前記下側ガイドレールに横動自在に係合する下側横動体に、前記開閉扉後端側平行リンクの真下で当該開閉扉後端側平行リンクと平行な１つの下側平行リンクを介して連結され、前記開閉扉後端側平行リンクと前記下側平行リンクとには、カム従動ローラーが軸支された制御レバーがそれぞれ連設され、前記上側ガイドレールと下側ガイドレールには、開閉扉が開口部閉じ位置にあるときに前記カム従動ローラーと各別に係合する制御用カムレールがそれぞれ併設され、この制御用カムレールと前記カム従動ローラー及び制御レバーにより、開口部閉じ位置とこれより手前の位置との間の開閉扉の横動に伴って、前記開閉扉前端側平行リンクと前記開閉扉後端側平行リンク、及び前記下側平行リンクを揺動させて、開閉扉を前記開口部閉じ位置と前記横動経路との間で開口部の内外方向に斜め平行移動させるように構成された、開閉扉装置。
【手続補正２】
【補正対象書類名】特許請求の範囲
【補正対象項目名】請求項３
【補正方法】変更
【補正の内容】
【請求項３】
前記上側ガイドレールに併設された前記制御用カムレールは、前記上側ガイドレールの垂直帯状板部の外側に重なって取り付けられる垂直取付け板と、この垂直取付け板の上端にＴ字形に連設されたカム溝付き本体とから成り、前記下側ガイドレールに併設された前記制御用カムレールは、前記下側ガイドレールの垂直帯状板部の外側に重なって取り付けられる垂直取付け板と、この垂直取付け板の下端にＴ字形に連設されたカム溝付き本体とから成り、上側の制御用カムレールの前記カム溝付き本体の外側半分と、下側の制御用カムレールの前記カム溝付き本体の外側半分が、前記固定壁板の上下両端角部に形成された凹部内に嵌合すると共に、上側の制御用カムレールの前記カム溝付き本体の内側半分と、下側の制御用カムレールの前記カム溝付き本体の内側半分が、前記上側ガイドレールと下側ガイドレールのレール部における垂直帯状板部側のリップ部の外側に重なっている、請求項２に記載の開閉扉装置。